(57)【特許請求の範囲】
【請求項１】
注入装置において、
放出ノズルを有する注射器を受容するように構成されたハウジングであって、前記注射器は、前記放出ノズルが前記ハウジング内部に収容される後退位置と、前記放出ノズルが出口孔を通って前記ハウジングから延出する延出位置との間で、前記ハウジングの長さ方向軸に沿って動くことができる、ハウジングと、
前記出口孔の上に取り外し可能に位置するキャップと、
前記注射器が前進する際に前記注射器を支持するように構成された注射器キャリヤーと、
前記放出ノズルの上に取り外し可能に位置し、前記キャップに接続された針シールドと、
ロック構成要素であって、前記キャップが前記ハウジング上に位置する時に、および前記ハウジングから前記キャップを取り外す間に、前記注射器キャリヤーおよび／または前記注射器が前記出口孔に向かって前記ハウジングに対して動くのを、係合位置で防ぐように構成された、ロック構成要素と、
を含み、
前記針シールドは、前記ハウジングから前記キャップを取り外す間に、前記放出ノズルから取り外されるようになり、
前記キャップは、前記針シールドをつかむように構成されたシールド保持器をさらに含み、それにより、前記針シールドが、前記ハウジングから前記キャップを取り外す間に、前記放出ノズルから取り外されるようになり、
前記ロック構成要素は、前記針シールドが前記放出ノズルから解放されていない場合にのみ、ハウジングから前記キャップを取り外す間に、前記出口孔に向かって前記注射器キャリヤーが動くのを防ぐように構成されており、
前記キャップは、本体と、前記本体内部に位置し前記本体に対して固定されたスリーブと、を含み、前記ロック構成要素は、前記長さ方向軸に沿って前記ハウジングから前記キャップを取り外す間に、前記キャップの前記スリーブによって前記係合位置に保持され、
前記ロック構成要素は、
第１の隣接表面を有する少なくとも１つのビームであって、前記第１の隣接表面は、前記ロック構成要素が前記係合位置にある時に、前記注射器キャリヤー上に位置する第２の隣接表面と係合可能である、少なくとも１つのビーム、
を含む、注入装置。
【請求項２】
請求項１に記載の注入装置において、
前記少なくとも１つのビームは、前記第１の隣接表面の反対側の前記ビームの端部において前記ハウジングに接続され、前記出口孔に向かう前記第２の隣接表面から離れて位置する点において前記ハウジング上に接続される、注入装置。
【請求項３】
請求項１または２に記載の注入装置において、
前記ビームは、スロットであって、前記ロック構成要素が前記係合位置にある時に、前記キャップの前記スリーブが前記スロットの中に存在する、スロットを含む、注入装置。
【請求項４】
請求項１〜３のいずれか１項に記載の注入装置において、
前記シールド保持器は、前記スリーブ内部に位置する、注入装置。
【請求項５】
請求項１に記載の注入装置からキャップを取り外す方法において、
前記針シールドが前記長さ方向軸に沿って動いて前記出口孔から出るように、前記長さ方向軸に沿って直線的に前記キャップを動かすことであって、それにより、前記キャップ内のロック構成要素が、前記長さ方向軸に沿った前記注射器の動きを妨げながら、前記放出ノズルから前記針シールドを解放する、前記キャップを動かすこと、
を含み、
前記針シールドが前記放出ノズルから解放されると、前記出口孔を露出するように前記キャップが前記長さ方向軸に沿ってさらに動くことにより、前記ロック構成要素が解放され、それにより、前記放出ノズルが、前記注入装置の操作中に、前記延出位置に向けて動かされることができる、方法。
【発明の詳細な説明】
【開示の内容】
【０００１】
〔発明の分野〕
本発明は、注射器を有しており、その注射器を延ばし、注射器の中身を放出し、その後、注射器を自動的に後退させるタイプの注入装置に関する。
【０００２】
〔発明の背景〕
ＷＯ９５／３５１２６およびＥＰ−Ａ−０  ５１６  ４７３に注入装置が示されている。これらの装置は、駆動バネと、何らかの形態の解放機構であって、注射器の中身が放出されたと考えられたら駆動バネの影響から注射器を解放して、戻しバネにより注射器を後退させる、解放機構と、を用いている。
【０００３】
概して、戻しバネは比較的弱く、これは、駆動バネが注入サイクル中に注入装置の様々な構成要素および注射器に作用している間でも、戻しバネの復元力が、駆動バネに負かされなければならないためである。これにより、注入装置が密封された皮下注射器と共に使用される際に問題を生じる場合がある。密封された皮下注射器は、典型的には、密閉されたカバー、すなわち皮下注射針を覆い、注射器の中身の無菌状態を保つ、針シールドもしくは「保護用カバー（boot）」、を有している。当然、投与の時点まで注射器の中身の無菌状態を保つことは必要であり、このことは、使い捨てできるように設計された装置については（多くのものがそうであるが）、保護用カバーが注入装置の内側の注射器と共に取り外されなければならないことを意味している。
【０００４】
典型的には、注射器から保護用カバーを取り外すのに必要な動作は、単に注射器から保護用カバーを引き離すことであり、これには、２ＯＮを超える力が必要である。この力は戻しバネの復元力よりも著しく大きいので、注射器は、保護用カバーが取り外されるにつれて注入装置から引き出され、保護用カバーが離れると、注射器は所定の位置に跳ね返る。これは、注射器を扱う最良の方法ではない。衝撃により注射器が損傷される場合があり、針が損傷を受ける可能性があり、注射器に対して作用するように設計された注入装置の構成要素と注射器を再び係合させる問題が起こりうる。戻しバネがない場合、例えば、注射器が注入装置の構成要素との摩擦により所定の位置に保持されている場合、であっても、注射器に対して作用するように設計された注入装置の構成要素上に注射器を再び配置する問題が、依然として生じるであろう。
【０００５】
さらに、概して注入装置から離れる方向に動くことができる注射器を有することに関する問題がある。例えば装置を硬質表面に落とすことによって、駆動バネの解放機構（例えばトリガー）の機械的故障による、駆動バネの偶発的な作動が生じうる。この偶発的な作動により、注射器が非意図的に装置から延びて、注射器の中身が排出されうる。これにより、注射器の針が露出され、偶発性の皮膚穿刺（ski puncturing）および／または感染のリスクが高まる可能性がある。
【０００６】
〔発明の概要〕
本発明の注入装置は、前述の問題に対処するように設計されている。
【０００７】
本発明の第１の態様では、注入装置が提供され、注入装置は、
放出ノズルを有する注射器を受容するように構成されたハウジングであって、注射器は、放出ノズルがハウジング内部に収容される後退位置と、放出ノズルが出口孔を通ってハウジングから延出する延出位置との間で、ハウジングの長さ方向軸に沿って動くことができる、ハウジングと、
出口孔の上に取り外し可能に位置するキャップと、
注射器が前進する際に注射器を支持するように構成された注射器キャリヤーと、
放出ノズルの上に取り外し可能に位置し、キャップに接続された針シールドと、
ロック構成要素であって、キャップがハウジング上に位置する時に、およびハウジングからキャップを取り外す間に、注射器キャリヤーおよび／または注射器が出口孔に向かってハウジングに対して動くのを、係合位置で防ぐように構成された、ロック構成要素と、
を含み、
針シールドは、ハウジングからキャップを取り外す間に、放出ノズルから取り外されるようになる。
【０００８】
このように、注射器キャリヤーおよび注射器が前方方向に（すなわち出口孔に向かって）動くことは、キャップが取り外されるまで妨げられ、それにより、注射器および／またはその中身への損傷を防ぐ。ロック構成要素はキャップと共に動作するので、注入装置がキャップの取り外し後に操作されうるようにキャップが取り外されると、ロック機構が自動的に解放される。
【０００９】
好ましくは、キャップは、針シールドをつかむシールド保持器を含み、このため、針シールドは、ハウジングからキャップを取り外す間に放出ノズルから取り外されるようになる。
【００１０】
有利なことに、ロック構成要素は、針シールドが放出ノズルから解放されていない場合のみ、ハウジングからキャップを取り外す間に、注射器キャリヤーが出口孔に向かって動くのを防ぐように構成されている。
【００１１】
好ましくは、キャップは、本体と、本体内部に位置し本体に対して固定されているスリーブと、を含む。
【００１２】
本発明の一実施形態では、ロック構成要素は、長さ方向軸に沿ってハウジングからキャップを取り外す間に、キャップのスリーブによって、その係合位置に保持される。
【００１３】
好ましくは、ロック構成要素は、第１の隣接表面を有する少なくとも１つのビーム（beam）を含み、第１の隣接表面は、ロック構成要素がその係合位置にある時に、注射器キャリヤー上に位置する第２の隣接表面と係合可能である。
【００１４】
本発明の一実施形態では、少なくとも１つのビームは、第１の隣接表面の反対側のビームの端部においてハウジングに接続され、また、出口孔に向かう第２の隣接表面から離れて位置する点においてハウジング上に接続されている。
【００１５】
好ましくは、ビームはスロットを含み、ロック構成要素がその係合位置にある時に、キャップのスリーブがそのスロットの中に存在し、キャップが取り外されると、スリーブはスロットの中でそのように係合されない。
【００１６】
好ましくは、シールド保持器は、スリーブ内部に位置する。
【００１７】
本発明の第２の態様では、ハウジング、およびハウジングの中に位置する注射器を有する注入装置からキャップを取り外す方法であって、注射器は、放出ノズルがハウジング内部に収容される後退位置と、放出ノズルが出口孔を通ってハウジングから延出する延出位置との間でハウジングの長さ方向軸に沿って動くことができ、キャップは、注射器の針シールドに接続されている、方法が提供され、この方法は、
針シールドが長さ方向軸に沿って動いて出口孔から出るように、長さ方向軸に沿って直線的にキャップを動かすことであって、それにより、キャップ内のロック構成要素が、長さ方向軸に沿った注射器の動きを妨げながら、放出ノズルから針シールドを解放する、キャップを動かすこと、
を含み、
針シールドが放出ノズルから解放されると、出口孔を露出するように長さ方向軸に沿ってキャップがさらに動くことにより、ロック構成要素が解放され、それにより、放出ノズルが、注入装置の操作中に、その延出位置に向かって動かされることができる。
【００１８】
本発明は、添付図面を参照して、例としてこれから説明される。
【００１９】
〔図面の詳細な説明〕
図１ａは、本発明による注入装置１１０の右側面図である。注入装置１１０は、ハウジング１１２と、ハウジング１１２の近位端部１６７から取り外し可能であるキャップ１１１と、トリガーボタン１０２と、を有する。装置の他の部品は、以下でより詳細に説明する。
【００２０】
図１ｂは、キャップ（不図示）が端部から取り外されている、本発明による注入装置１１０の斜視図である。ハウジング１１２の端部は、出口孔１２８を有し、この出口孔１２８から、スリーブ１１９の端部が現れるのを見ることができる。
【００２１】
図１ｃは、本発明による注入装置１１０のキャップ１１１の斜視図である。キャップ１１１は中央ボス１２１を有し、中央ボス１２１は、キャップ１１１がハウジング１１２上に据えられるとスリーブ１１９内部に嵌まり込む。
【００２２】
図２ａは、本発明による注入装置１１０の構成要素の分解組立右側面図であり、図２ｂは、ハウジング１１２またはキャップ１１１が無い、本発明による注入装置１１０の組み立てられた構成要素の右側面図である。
【００２３】
示されるように、注入装置１１０は、注射器本体１１６を含む従来型の皮下注射器１１４を含み、注射器本体１１６は、放出ノズル、具体的には皮下注射針１１８、において一端部が終端し、フランジ１２０でもう一方の端部が終端している。注射器１１４の中身を手動で放出するのに通常使用される従来のプランジャは、取り外されており、注射器１１４の栓１２２と接触する駆動要素（以下、第２の駆動要素１３４と呼ぶ）と取り替えられている。栓１２２は、薬物（不図示）を注射器本体１１６内部で投与させる。例示される注射器は、皮下タイプのものであるが、これは必ずしも皮下タイプである必要はない。経皮的または弾道的皮膚注射器および皮下注射器（Transcutaneous or ballistic dermal and subcutaneous syringes）もまた、本発明の注入装置と共に使用されてよい。
【００２４】
例示されるように、注入装置１１０は、戻しバネ１２６を含み、戻しバネ１２６は、針１１８がハウジング１１２のケース先端（case nose）１１２ａにおける孔１２８から延出する延出位置から、針１１８がハウジング１１２内部に収容される後退位置まで注射器１１４を付勢する。戻しバネ１２６は、注射器キャリヤー１２７を通じて注射器１１４に作用する。注射器１１４は、注入装置１１０の長さ方向軸１０５に沿って動くことができ、長さ方向軸１０５は、注入装置の近位端部１６７における出口孔１２８から遠位端部１６８まで注入装置１１０の長さに沿って中心に延びている。
【００２５】
アクチュエータが、ハウジングの遠位端部１６８においてハウジング内部に収容されている。アクチュエータは、ここでは、圧縮駆動バネ１３０の形をとっている。駆動バネ１３０からの推進力（Drive）が多構成要素駆動装置（multi-component drive）１２９を通じて注射器１１４に伝えられて、注射器１１４をその後退位置から延出位置まで前進させ、針１１８を通して注射器１１４の中身を放出する。駆動装置１２９は、薬物および注射器１１４に直接作用することにより、このタスクを達成する。薬物を通じて作用する静水学的な力（Hydrostatic forces）と、それほどではないにせよ、栓１２２と注射器本体１１６との間の静止摩擦と、により、戻しバネ１２６が注射器キャリヤー１２７上で底に達する（bottoms out）かまたはバネの動きを妨害する何らかの他の障害物（不図示）にぶつかるまで栓１２２および注射器１１６が共に前進することが、最初に確実とされる。
【００２６】
図２ｃは、多構成要素駆動装置１２９の分解組立斜視図である。駆動バネ１３０と注射器１１４との間の多構成要素駆動装置１２９は、３つの主要構成要素からなる。駆動スリーブ１３１は、駆動バネ１３０から推進力を受け取り、その推進力を第１の駆動要素１３２上の遅延ピストン１３３に伝達する。これにより、今度は、推進力が第２の駆動要素１３４に伝達される。
【００２７】
図２ｃから分かるように、第１の駆動要素１３２は、中空ステム１４０を含み、中空ステム１４０の内側キャビティが、通気孔１４４と連絡する収集チャンバ１４１を形成し、通気孔１４４は、ステム１４０の端部を貫通して収集チャンバ１４１から延びている。第２の駆動要素１３４は、ブラインドボア（blind bore）１４６を含み、ブラインドボア１４６は、ステム１４０を受容するように一端部で開口して、もう一方の端部では閉じている。理解されるであろうが、ボア１４６およびステム１４０は、流体貯蔵部を画定し、流体貯蔵部内には、減衰流体（damping fluid）が収容されている。
【００２８】
トリガーボタン１０２が、ハウジング１１２の側面に設けられており、トリガーボタン１０２は、駆動スリーブ１３１の近位端部１４５との係合位置にある場合、トリガーボタン１０２が非作動位置にあるときのロック表面１０２ｂと駆動スリーブ１３１との間の接触により圧縮状態に駆動バネ１３０を保つように役立つ。トリガーボタン１０２は、ピボット１０２ａによりハウジング１１２上で旋回することができる。下方圧力が作動表面１０２ｃでトリガーボタン１０２に加えられると（すなわちハウジング１１２内へ向けられた圧力）、ロック表面１０２ｂは、長さ方向軸１０５から離れる方向へ上方に動く。トリガーボタン１０２のこの作動位置では、ロック表面１０２ｂは、駆動スリーブ１３１から分離され、それにより、駆動バネ１３０の影響下で出口孔１２８に向けてハウジング１１２に対して駆動スリーブ１３１を動かす。
【００２９】
スライドスリーブ１１９は、スライドスリーブ１１９が出口孔１２８から突出する（図１ｂに示されるような）その延出位置から、ハウジング１１２のケース先端１１２ａ内の後退位置へ動くことができる。スライドスリーブ１１９は、弾性アーム１５１を有するトリガーボタンロック要素１５０に接続され、弾性アーム１５１は、スライドスリーブ１１９の端部がケース先端１１２ａの端部から突出する延出位置へとスライドスリーブ１１９を付勢する。ゆえに、例えばスライドスリーブ１１９の端部を組織に押し付けることで、スライドスリーブ１１９の端部に圧力を加えることにより、スライドスリーブ１１９は、その後退位置に動いてハウジング１１２に入り、圧力を解放すると、スライドスリーブ１１９がハウジング１１２の側壁に抵抗して作用する弾性アーム１５１からの付勢下でその延出位置へ動く。トリガーボタンロック要素１５０は、トリガーボタンロック突出部１５２を有し、トリガーボタンロック突出部１５２は、スライドスリーブがその延出位置にあるときに、トリガーボタン１０２上のトリガーボタン突出部１０２ｄの端部と接触する。トリガーボタン突出部１０２は、注入装置１１０の長さ方向軸１０５に概ね平行な方向に延びる。トリガーボタンロック突出部１５２は、トリガーボタン突出部１０２ｄに向かって、長さ方向軸１０５に対して概ね垂直な方向に延びる。トリガーボタン突出部１０２ｄは、孔１０２ｅを有し、孔１０２ｅは、トリガーボタンロック要素１５０が出口孔１２８から離されると（すなわちスライドスリーブ１１９が出口孔１２８内へ動いて、その後退位置に来ると）トリガーボタンロック突出部１５２の上部の上を動くことができる。この位置では、トリガーボタン１０２は、圧力表面１０２ｃに加えられる圧力の方向に、ピボット１０２ａの周りでトリガーボタン１０２を回転させることによって、その非作動位置まで動くことができる。ゆえに、トリガーボタンロック要素１５０およびスライドスリーブ１１９は、トリガーボタン１０２をその作動位置にロックするように共に作用する（すなわち、ロック表面１０２ｂは、駆動スリーブ１３１の端部に接触して、駆動スリーブ１３１が、圧縮された駆動バネ１３０の付勢下で出口孔１２８に向かって動くことを妨げる）。
【００３０】
スライドスリーブ１１９が、ハウジング１１２内に後退される位置（すなわちその非ロック位置）に動かされて、トリガーボタン１０２がその非作動位置へと回転されると、装置１１０の動作は以下のとおりとなる。
【００３１】
最初に、駆動バネ１３０は、駆動スリーブ１３１を動かし、駆動スリーブ１３１は、第１の駆動要素１３２を動かし、第１の駆動要素１３２は、第２の駆動要素１３４を動かす。これらはいずれの場合も、可撓性ラッチアーム１３２ａ、１３４ａ、１３４ｂを通じた作用によるものである。第２の駆動要素１３４は動いて、静止摩擦と、薬物（不図示）を通じて作用する静水学的な力とにより、戻しバネ１２６の作用に対抗して注射器本体１１６および注射器キャリヤー１２７を動かす。戻しバネ１２６は圧縮され、皮下注射針１１８は、ハウジング１１２の出口孔１２８から現れる。これは、戻しバネ１２６が底に達するかまたは注射器本体１１６がその動きを妨げる何らかの他の障害物（不図示）にぶつかるまで続く。第２の駆動要素１３４と注射器本体１１６との間の静止摩擦と、投与されるべき薬物（不図示）を通じて作用する静水学的な力とは、駆動バネ１３０により発生される十分な駆動力に抵抗するのには十分でないため、この時点で、第２の駆動要素１３４は、注射器本体１１６内部で動き始め、薬物（不図示）は、放出され始める。しかしながら、第２の駆動要素１３４と注射器本体１１６との間の動的摩擦と、投与されるべき薬物（不図示）を通じて作用する静水学的な力とは、戻しバネ１２６をその圧縮状態に保つのに十分であるので、皮下注射針１１８は延出したままである。
【００３２】
第２の駆動要素１３４が注射器本体１１６内部での移動の終わりに達する前に、したがって、注射器の中身が完全に放出される前に、第１の駆動要素１３２および第２の駆動要素１３４を結合している可撓性ラッチアーム１３４ａ、１３４ｂは、注射器キャリヤー１２７の端部に固定されたラッチアクチュエータ要素１３７ａ上に設けられた緊縮部（constriction）１３７に到達する。緊縮部１３７は、緊縮部１３７上の傾斜表面に助けられて、可撓性ラッチアーム１３４ａ、１３４ｂを、図２ｃに示された位置から内側に、可撓性ラッチアーム１３４ａ、１３４ｂがもはや第１の駆動要素１３２を第２の駆動要素１３４に連結しない位置まで動かす。いったんこれが起こると、第１の駆動要素１３２は、第２の駆動要素１３４に対してもはや作用せず、第１の駆動要素１３２が第２の駆動要素１３４に対して動くことができる。
【００３３】
減衰流体が第１の駆動要素１３２の端部と第２の駆動要素１３４のブラインドボア１４６との間に画定される貯蔵部（不図示）内部に収容されているため、第１の駆動要素１３２が駆動バネ１３０により作用される際に第１の駆動要素１３２が第２の駆動要素１３４に対して動くにつれて、貯蔵部の容積は、減少する傾向にある。貯蔵部がつぶれると、減衰流体は通気孔１４４を通って収集チャンバ１４１の中に押し込まれる。ゆえに、いったん可撓性ラッチアーム１３４ａ、１３４ｂが解放されると、駆動バネ１３０により及ぼされる力は、減衰流体に対して作用して、通気孔１４４により形成された緊縮部を通して減衰流体を流し、また、流体を通じて、そして第１の駆動要素１３２と第２の駆動要素１３４との間の摩擦を通じて、したがって第２の駆動要素１３４により、静水学的に作用する。減衰流体の流れに伴う損失は、注射器本体に作用する力を、大きくは減じない。したがって、戻しバネ１２６は圧縮されたままであり、皮下注射針は延出したままである。
【００３４】
しばらくすると、第２の駆動要素１３４は、注射器本体１１６内部での移動を完了し、さらに遠くへ進むことはできない。この時点で、注射器１１４の中身は完全に放出され、駆動バネ１３０により及ぼされる力は、第２の駆動要素１３４をその最終位置（terminal position）に保持するように、また、減衰流体を通気孔１４４に流し続けるように作用し、第１の駆動要素１３２を動かし続ける。
【００３５】
流体の貯蔵部が空になる前に、駆動スリーブ１３１を第１の駆動要素１３２と結合する可撓性ラッチアーム１３２ａは、ハウジング１１２内部の別の緊縮部（不図示）に到達する。この緊縮部は、緊縮部の傾斜表面の援助の下、可撓性ラッチアーム１３２ａを、図示の位置から内側に、可撓性ラッチアーム１３２ａが駆動スリーブ１３１を第１の駆動要素１３２にもはや連結しない位置まで動かす。いったんこれが生じると、駆動スリーブ１３１は、もはや第１の駆動要素１３２に作用せず、それらを互いに対して動かす。当然、この時点で、駆動バネ１３０により発生された力がもはや注射器１１４に伝達されないため、注射器１１４は解放され、注射器に作用する唯一の力は、戻しバネ１２６からの戻し力（return force）となるであろう。ゆえに、注射器１１４はここでその後退位置に戻り、注入サイクルが完了する。
【００３６】
当然、キャップ１１１がハウジング１１２の端部から取り外された場合にのみ、このことが行われる。注射器の端部は、保護用カバー１２３で密閉されている。キャップ１１１がハウジング１１２上に設置されるとスリーブ１１９内部に納まるキャップ１１１の中央ボス１２１は、ボス１２１内に固定された保持器要素１２５を含む。保持器要素１２５は、出口孔１２８から離れるように向けられた弾性突出部１２５ａを含む。これらの弾性突出部１２５ａは、キャップ１１１が針シールドまたはゴム製保護用カバー１２３上でハウジング１１２上に挿入されると、変形する。次に突出部１２５ａは、保護用カバー１２３をきつくつかみ、このため、突出部の端部は、ゴムから作られていてよい保護用カバー１２３にわずかに埋まる。これは、キャップ１１１がハウジング１１２から引き抜かれた際に、保護用カバー１２３がキャップ１１１と共に注射器１１４から引き離されることを意味する。
【００３７】
図２ａはまた、ケース先端１１２ａと一体に形成されたロック機構１７０を示し、図３は、ロック機構１７０を本発明の注入装置１１０とどのように統合するかを示している。
【００３８】
ロック機構１７０はケース先端１１２ａ上に位置する。ロック機構は、２つのビーム１７１により形成され、ビームはそれぞれ、別個のロック構成要素を形成している。各ビーム１７１は、ハウジング１１２からキャップ１１１を取り外す間に注射器キャリヤー１２７が出口孔１２８に向かって動くのを防ぐように構成されている。これは、ロック構成要素がその係合位置にあるときに、注射器キャリヤー１２７の近位端部上に位置する第２の隣接表面１７３と係合可能である第１の隣接表面１７２を有する各ビーム１７１により達成される。各ビーム１７１は弾性的に付勢されており、キャップ１１１がハウジング１１２の近位端部１６７に接続されていない場合、第１の隣接表面１７２および第２の隣接表面１７３は互いと接触しない。この構成では、各ビーム１７１は、外側に、すなわち、ハウジング１１２に向かって長さ方向軸１０５から離れて動いており、隣接表面１７２、１７３は、もはや互いと接触していない。
【００３９】
キャップ１１１の中央ボス１２１は、スリーブの形であり、このスリーブは、各ビーム１７１のスロット１７４と係合可能で、ビームをその係合位置に保持し、第１の隣接表面１７２および第２の隣接表面１７３が互いと接触し、それにより、注射器キャリヤー１２７が出口孔１２８に向かって前方方向に動くのを防ぐ。キャップ１１１が取り外されると、ボス１２１は、スライドしてビームのスロットから出て、このため、ビームは、注射器キャリヤー１２７に対して、もはやそれらの係合位置に保持されない。このことは、各ビーム１７１が、ビーム自体の弾性により発生する力の下で、長さ方向軸１０５に対して外側に動くことができ、隣接表面１７２、１７３がもはや互いと接触しないことを意味する。
【００４０】
図３に示すように、各ビーム１７１は、第１の隣接表面１７２の反対側のビーム１７１の近位端部においてハウジング１１２に接続され、出口孔１２８に向く第２の隣接表面１７３から離れて位置する点においてハウジング１１２上に接続される。
【００４１】
本発明は、単に例として前述されており、本発明の範囲内で詳細の改変が行われうることが、当然理解されるであろう。
【００４２】
〔実施の態様〕
（１）  注入装置において、
放出ノズルを有する注射器を受容するように構成されたハウジングであって、前記注射器は、前記放出ノズルが前記ハウジング内部に収容される後退位置と、前記放出ノズルが出口孔を通って前記ハウジングから延出する延出位置との間で、前記ハウジングの長さ方向軸に沿って動くことができる、ハウジングと、
前記出口孔の上に取り外し可能に位置するキャップと、
前記注射器が前進する際に前記注射器を支持するように構成された注射器キャリヤーと、
前記放出ノズルの上に取り外し可能に位置し、前記キャップに接続された針シールドと、
ロック構成要素であって、前記キャップが前記ハウジング上に位置する時に、および前記ハウジングから前記キャップを取り外す間に、前記注射器キャリヤーおよび／または前記注射器が前記出口孔に向かって前記ハウジングに対して動くのを、係合位置で防ぐように構成された、ロック構成要素と、
を含み、
前記針シールドは、前記ハウジングから前記キャップを取り外す間に、前記放出ノズルから取り外されるようになる、注入装置。
（２）  実施態様１に記載の注入装置において、
前記キャップは、前記針シールドをつかむように構成されたシールド保持器をさらに含み、それにより、前記針シールドが、前記ハウジングから前記キャップを取り外す間に、前記放出ノズルから取り外されるようになる、注入装置。
（３）  実施態様１または２に記載の注入装置において、
前記ロック構成要素は、前記針シールドが前記放出ノズルから解放されていない場合にのみ、ハウジングから前記キャップを取り外す間に、前記出口孔に向かって前記注射器キャリヤーが動くのを防ぐように構成されている、注入装置。
（４）  実施態様１〜３のいずれかに記載の注入装置において、
前記キャップは、本体と、前記本体内部に位置し前記本体に対して固定されたスリーブと、を含む、注入装置。
（５）  実施態様４に記載の注入装置において、
前記ロック構成要素は、前記長さ方向軸に沿って前記ハウジングから前記キャップを取り外す間に、前記キャップの前記スリーブによって前記係合位置に保持される、注入装置。
（６）  実施態様４に記載の注入装置において、
前記ロック構成要素は、第１の隣接表面を有する少なくとも１つのビームであって、前記第１の隣接表面は、前記ロック構成要素が前記係合位置にある時に、前記注射器キャリヤー上に位置する第２の隣接表面と係合可能である、少なくとも１つのビームを含む、注入装置。
（７）  実施態様６に記載の注入装置において、
前記少なくとも１つのビームは、前記第１の隣接表面の反対側の前記ビームの端部において前記ハウジングに接続され、前記出口孔に向かう前記第２の隣接表面から離れて位置する点において前記ハウジング上に接続される、注入装置。
（８）  実施態様６または７に記載の注入装置において、
前記ビームは、スロットであって、前記ロック構成要素が前記係合位置にある時に、前記キャップの前記スリーブが前記スロットの中に存在する、スロットを含む、注入装置。
（９）  実施態様２に従属する実施態様４〜８のいずれかに記載の注入装置において、
前記シールド保持器は、前記スリーブ内部に位置する、注入装置。
（１０）  ハウジングおよび前記ハウジングの中に位置する注射器を有する注入装置からキャップを取り外す方法であって、前記注射器は、放出ノズルが前記ハウジング内部に収容される後退位置と、前記放出ノズルが出口孔を通って前記ハウジングから延出する延出位置との間で、前記ハウジングの長さ方向軸に沿って動くことができ、前記キャップは、前記注射器の針シールドに接続されている、方法において、
前記針シールドが前記長さ方向軸に沿って動いて前記出口孔から出るように、前記長さ方向軸に沿って直線的に前記キャップを動かすことであって、それにより、前記キャップ内のロック構成要素が、前記長さ方向軸に沿った前記注射器の動きを妨げながら、前記放出ノズルから前記針シールドを解放する、前記キャップを動かすこと、
を含み、
前記針シールドが前記放出ノズルから解放されると、前記出口孔を露出するように前記キャップが前記長さ方向軸に沿ってさらに動くことにより、前記ロック構成要素が解放され、それにより、前記放出ノズルが、前記注入装置の操作中に、前記延出位置に向けて動かされることができる、方法。
【図面の簡単な説明】
【００４３】
【図１ａ】本発明による注入装置の右側面図である。
【図１ｂ】キャップが取り外されている、図１の注入装置の斜視図である。
【図１ｃ】図１の注入装置のキャップの斜視図である。
【図２ａ】図１の注入装置の分解組立右側面図である。
【図２ｂ】図１の注入装置の組み立てられた構成要素の右側面図である。
【図２ｃ】図１の注入装置に使用される多構成要素駆動装置の斜視図である。
【図３】図１の注入装置の断面図である。
【図１ａ】
0005442611.tif 000002
【図１ｂ】
0005442611.tif 000003
【図１ｃ】
0005442611.tif 000004
【図２ａ】
0005442611.tif 000005
【図２ｂ】
0005442611.tif 000006
【図２ｃ】
0005442611.tif 000007
【図３】
0005442611.tif 000008